(57)【要約】      （修正有）【課題】所望の接触力を得ることができると共に、狭いピッチ間隔のコネクタに用いることができる接触端子を提供する。【解決手段】基板に設けられた基板端子に電気的に接続するコネクタに用いられる接触端子Ｔであって、一端部に基板端子に接触するための接触部が形成されている弾性接触片１５が設けられたベースコンタクト１と、ベースコンタクト１と別体で構成され且つベースコンタクト１の一端部に外嵌されると弾性接触片１５と相対向して配置される外部接触片２５を有するアウタコンタクト２とを備えている。接触端子Ｔに基板が挿入されると、ベースコンタクト１の弾性接触片１５の接触部とアウタコンタクト２の外部接触片２５とにより、基板に設けられた基板端子がある部位が基板の表裏面から挟持されると共に、弾性接触片１５の接触部が基板端子に付勢されて接触するようになっている。【選択図】図２
2018152271.tif 000002
【特許請求の範囲】
【請求項１】
基板の端部に設けられた基板端子に電気的に接続するためのコネクタに用いられる接触端子であって、
一端部側に前記基板端子に接触するための接触部が形成されている弾性接触片が設けられ、他端部側に電線を把持して接続する電線接続部が設けられたベースコンタクトと、
前記ベースコンタクトと別体で構成され且つ該ベースコンタクトの一端部側に嵌合されると前記弾性接触片と相対向して配置される外部接触片を有するアウタコンタクトとを備え、
前記基板の端部側が挿入されると、前記ベースコンタクトの弾性接触片の接触部と前記アウタコンタクトの外部接触片とにより、前記基板に設けられた基板端子がある部位が該基板の表裏面から挟持されると共に、前記弾性接触片の接触部が前記基板端子に付勢されて接触するようになっていることを特徴とする接触端子。
【請求項２】
前記アウタコンタクトは、前記ベースコンタクトの一端部側が挿入され嵌合される外筒部を有し、
前記外筒部の上面部には、前端部から後端部・近傍側まで開口部が形成された外側上壁が設けられ、該外側上壁には前記外部接触片が立設しており、
前記外部接触片は、前記外側上壁から上方に向けて垂直に延びる垂直片と、前記垂直片の上端部から前記外筒部の前端部に向けて直角に屈曲して延設される平行片とを有する略Ｌ字状に形成されていることを特徴とする請求項１に記載の接触端子。
【請求項３】
前記ベースコンタクトは、その一端部側に底壁と上壁と両側壁とを有するボックス部が設けられ、
前記上壁には、前記弾性接触片の接触部が突出できる大きさ寸法の孔部が形成され、
前記弾性接触片は、前記底壁の後端部側・上面に取り付けられている基部と、前記基部の前端部から上方に立設された起立部と、前記起立部の上端部から底壁の前端部に向けて延設されている下方弾性部と、前記下方弾性部の前端部から底壁の後端部側に向けてＵ字状に折曲し且つ前記下方弾性部の後端部近傍まで延設されている上方弾性部とを有しており、
前記上方弾性部は、その長さ方向の中間部が凸状に屈曲したへの字状に形成され、その頂部及び該頂部の近傍部分が前記接触部になっており、
さらに、前記弾性接触片は、前記ベースコンタクトの一端部側に前記アウタコンタクトが嵌合されていないときには、前記ボックス部の内部に収容された状態になり、前記下方弾性部が上方向に押圧されると、前記上壁の孔部から前記接触部が突出するようになっていることを特徴とする請求項２に記載の接触端子。
【請求項４】
前記外筒部の両側面部に形成された外側側壁には、一方の外側側壁から他方の外側側壁に向けて延びる押上片が形成されており、
前記押上片は、前記外筒部に前記ベースコンタクトの一端部側のボックス部が挿入されると、該ボックス部内部に収容されている前記弾性接触片の下方弾性部に当接して該弾性接触片を押し上げて、該ボックス部の上壁の孔部から前記弾性接触片の接触部を突出させるようになっていることを特徴とする請求項３に記載の接触端子。
【請求項５】
基板の端部に設けられた基板端子に電気的に接続するための接触端子を構成するベースコンタクトであって、
前記ベースコンタクトは、その一端部側に、別体のアウタコンタクトが外嵌されることで前記接触端子を構成すると共に、該アウタコンタクトと共に、前記基板に設けられた基板端子がある部位を該基板の表裏面から挟持するようになっており、
一端部側に前記アウタコンタクトが外嵌される角筒状のボックス部が形成され、他端部側に電線の端部を把持し接続する電線接続部が形成され、
前記ボックス部には、前記基板端子と接触するための接触部が形成されている弾性接触片が設けられ、
前記ボックス部は、底壁と上壁と両側壁とを有し、該上壁には、前記弾性接触片の接触部が突出できる大きさ寸法の孔部が形成され、
前記弾性接触片は、前記ボックス部に前記アウタコンタクトが外嵌されていない場合には前記ボックス部の内部に収容されている状態になり、
さらに、前記弾性接触片は、前記ボックス部に前記アウタコンタクトが外嵌された場合には上方向に押圧されて、前記上壁の孔部から前記接触部が突出する状態になり、この状態で前記基板が挿入されると、前記接触部が前記アウタコンタクトと共に、前記基板に設けられた基板端子がある部位を該基板の表裏面から挟持すると共に、前記接触部が前記基板端子に付勢されて接触するようになっていることを特徴とするベースコンタクト。
【請求項６】
基板の端部に設けられた基板端子に電気的に接続するための接触端子を構成するアウタコンタクトであって、
前記アウタコンタクトは、別体のベースコンタクトが内嵌されることで前記接触端子を構成すると共に、該ベースコンタクトに形成されている弾性接触片の接触部と共に、前記基板に設けられた基板端子がある部位を該基板の表裏面から挟持するようになっており、
前記ベースコンタクトの一端部が挿入される外筒部を有し、
前記外筒部の上面には、前端部から後端部・近傍側まで開口部が形成された外側上壁が設けられ、該外側上壁には外部接触片が立設しおり、
前記外部接触片は、前記外側上壁から上方に向けて垂直に延びる垂直片と、前記垂直片の上端部から前記外筒部の前端部に向けて直角に屈曲して延設される平行片とを有する略Ｌ字状に形成され、
前記外筒部に前記ベースコンタクトの一端部が挿入されると、前記外部接触片が前記弾性接触片と相対向して配置される状態になり、この状態で前記基板が挿入されると、前記外部接触片の平行片と前記ベースコンタクトの弾性接触片の接触部とにより、前記挿入されてくる基板に設けられた基板端子がある部位が該基板の表裏面から挟持されるようになっていることを特徴とするアウタコンタクト。
【発明の詳細な説明】
【技術分野】
【０００１】
本発明は、接触端子に関し、例えば、基板の端部に設けられた基板端子と電線等の導体を接続するためのコネクタに用いられる接触端子に関する。また、本発明は、接触端子の構成部品であるベースコンタクト、及び接触端子の構成部品であるアウタコンクトに関する。
【背景技術】
【０００２】
従来から、電子回路等がプリントされた基板の端部に設けられた基板端子と電気的に接続するためのカードエッジコネクタが知られている。ここで、従来技術のカードエッジコネクタについて図１５〜１８を参照しながら説明する。
【０００３】
図１５に示すように、従来技術のカードエッジコネクタ（以下、単に「コネクタ」）３００は、コネクタハウジング３１０を備え、コネクタハウジング３１０の内部に複数の接触端子２００が装着された構造になっている。また、コネクタハウジング３００は、その一方面に、基板の端部が挿入されるスリット部３１０aが形成されている。このスリット部３１０aに、基板４２０（図１６参照）の端部が挿入されると、基板４２０に設けられた各基板端子と、各基板端子に対応する接触端子２００の接触部とが接触して電気的接続がなされるようになっている。
【０００４】
なお、図１６に示す例では、基板４２０が基板ハウジング４１０に支持されている。そして、コネクタハウジング３１０に基板ハウジング４１０を嵌合させると、コネクタハウジング３１０のスリット部３１０aに、基板４２０の端部が挿入され、基板４２０の端部に設けられた各基板端子と、各基板端子に対応する接触端子２００の接触部が接触するようになっている。
【０００５】
また、接触端子２００は、図１７、１８に示すように、前端側に角筒状のボックス部２１０が形成され、後端側に電線２４０の端部を把持して接続する電線接続部２３０が形成されている。また、電線２４０は、電線接続部２３０の近傍部に、ゴム等で形成されたシール材２６０が外嵌されている。このシール材２６０により、電線２４０が配設されている側からの液体等の侵入を抑制している。
【０００６】
上記のボックス部２１０は、図１８に示すように、底壁２１１と上壁２１３と左右両側壁２１２とから構成され、その前端部には、基板４２０の端部が挿入される開口２１０ａが形成されている。また、底壁２１１（及び上壁２１３）は、その前端を円弧状に折り曲げて形成された基板支持部２１１a（２１３a）を有している。そして、基板支持部２１１aと、基板支持部２１３aとが、挿入されてくる基板４２０の端部を挟持するようになっている。
【０００７】
また、ボックス部２１０の上壁２１３の下面側には、開口２１０ａに基板４２０が挿入されてきたときに、基板支持部２１１a及び基板支持部２１３aに挟持されている基板４２０に設けられた基板端子に接触する弾性接触片（弾性接触バネ）２１５が形成されている。
【０００８】
なお、上記のようなコネクタ（基板の端部に設けられた基板端子と電気的に接続するためのコネクタ）には、挿入されてくる基板をコネクタハウジングで支持し、その支持されている基板・端部の表面（或いは裏面）に設けられた基板端子に対して、ハウジングの内部に装着されている接触端子が、一方側から付勢されて接触する構造のものがあり、例えば、特許文献１、２に開示されている。
【０００９】
特許文献１に記載のコネクタは、基板の端部が挿入される基板挿入空間を有し且つ基板の端部を当該基板の両面から挟み込むように装着されるコネクタハウジングと、基板の両面に対向して位置するようにコネクタハウジングに配設され、当該基板の導電路（基板端子）に弾性接触する接触部を有する複数の接触端子と、コネクタハウジングの外周部のうち接触端子に対応する位置に装着される開き防止部材とを備えている。
【００１０】
また、特許文献２に記載のコネクタは、基板の端部に設けられた基板端子に接触して電気的に接続する基板端子接続部を備えている。また、基板端子接続部（接触端子）は、基板とコネクタとの接続方向への相対的なスライド動作の初期に基板の端部に当接しスライド動作に伴って傾倒する弾性接触片と、弾性接触片の傾倒に伴ってコネクタ側へ揺動し弾性接触片の基板の端部への当接から遅れて基板端子に接触する外部接触片とからなる揺動接触部を有している。
【先行技術文献】
【特許文献】
【００１１】
【特許文献１】特許第４７７６４９２号公報
【特許文献２】特許第５９２２２９５号公報
【発明の概要】
【発明が解決しようとする課題】
【００１２】
図１７に示した、従来技術の接触端子２００は、電線接続部２３０に接続された電線２４０毎に、それぞれ、その外周部を覆うシール材２６０が外嵌された構造になっている。そのため、コネクタハウジング３００に接触端子２００を装着する場合、隣接して設置される接触端子２００同士の設置間隔（ピッチ）を狭くすることがでなかった。その結果、従来技術の接触端子２００は、ピッチ間隔が狭い基板端子を備えた基板と接続するためのコネクタに用いることができないという課題を有している。
なお、コネクタに接触端子２００を用いる場合、ケーブル２４０毎にシール材２６０を設ける構成ではなく、「複数の貫通孔が形成されたブロック状のシール材（一括ゴム栓等のシール材）」に、接触端子２００を挿通させることも考えられる。しかし、接触端子２００のボックス部２１０は、基板４２０の表裏面を覆う構造になっており、その寸法が大きくなってしまう。したがって、複数の貫通孔が形成されたシール材に、接触端子２００を挿通させる構成を採用したとしても、接触端子の貫通孔を通過する断面は、縦方向に長くなる傾向があり、接触端子がシール材孔を貫通する際に前記孔（円形）を傷つけてしまい、防水性に支障が出る可能性がある。
【００１３】
一方、特許文献１、２に記載のコネクタの接触端子は、基板を表裏面から覆う構成になっておらず、図１７に示す接触端子２００のように寸法が大きいボックス部２１０を設ける必要がない。そのため、特許文献１、２に記載のコネクタは、接触端子２００を用いる場合と比べ、接触端子同士のピッチが狭くできるという利点がある。
しかし、特許文献１、２に記載のコネクタは、接触端子同士のピッチを狭くできるものの、接触端子自身が基板を挟持する構成を採用しておらず、接触力をプラスチックで形成されたコネクタハウジングで受ける構造になるため、各接触端子の接触力にバラツキが生じたり、所望の接触力を得られない虞があるという課題を有している。例えば、特許文献１、２に記載のコネクタは、振動が多く発生する使用環境等で用いられた場合（自動車の部品などに用いられた場合）に、案定した電気的接続が得られない虞があった。
【００１４】
本発明は、上記技術的課題に鑑みてなされたものであり、その目的は、基板端子と電気的に接続するためのコネクタに用いられる接触端子であって、所望の接触力を得ることができると共に、狭いピッチ間隔のコネクタに用いることができる接触端子を提供することにある。また、本発明は、上記の接触端子を構成するベースコンタクトを提供することにある。また、本発明は、上記の接触端子を構成するアウトコンタクトを提供することにある。
【課題を解決するための手段】
【００１５】
上記技術的課題を解決するためになされた本発明は、基板の端部に設けられた基板端子に電気的に接続するためのコネクタに用いられる接触端子であって、一端部側に前記基板端子に接触するための接触部が形成されている弾性接触片が設けられ、他端部側に電線を把持して接続する電線接続部が設けられたベースコンタクトと、前記ベースコンタクトと別体で構成され且つ該ベースコンタクトの一端部側に嵌合されると前記弾性接触片と相対向して配置される外部接触片を有するアウタコンタクトとを備え、前記基板の端部側が挿入されると、前記ベースコンタクトの弾性接触片の接触部と前記アウタコンタクトの外部接触片とにより、前記基板に設けられた基板端子がある部位が該基板の表裏面から挟持されると共に、前記弾性接触片の接触部が前記基板端子に付勢されて接触するようになっていることを特徴とする。
【００１６】
このように、本発明の接触端子は、ベースコンタクトの弾性接触片の接触部とアウタコンタクトの外部接触片とにより、挿入されてくる基板に設けられた基板端子がある部位が当該基板の表裏面から挟持されると共に、弾性接触片の接触部が基板端子に付勢されて接触するようになっている。すなわち、本発明は、接触端子が直接、基板に設けられた基板端子がある部分を表裏面から挟持する構成になっているため、接触端子が基板を挟持しない従来技術のもの（特許文献１、２に記載の接触端子）や、基板端子との接触部分を挟持する構成になってない従来技術の接触端子２００（図１７参照）と比べて、大きい接触力（所望の接触力）で基板端子と接触でき、安定した電気的接続が得られる。また、発明の接触端子は、直接、基板を挟持するため、複数の接触端子を装着するコネクタ（カードエッジコネクタ）に用いた場合に、従来技術のものと比べて、各接触端子の接触力にバラツキが生じる可能性が軽減される。
【００１７】
また、本発明の接触端子は、ベースコンタクトとアウタコンタクトが別体になっている。そのため、例えば、以下に示すような工程を採用することで、コネクタに装着する接触端子同士の設置間隔（ピッチ）を狭くすることができる。
具体的には、先ず、コネクタハウジングの前方側にアウタコンタクトを取り付けておくと共に、コネクタハウジングの後方側に「複数の貫通孔が形成されたシール材（ブロック状の一括シール材）」を取り付けておく。そして、コネクタハウジングの後方側から、電線を取り付けたベースコンタクトを挿通すると共に、コネクタハウジングの前方側に取り付けておいたアウタコンタクトにベースコンタクトを取り付けて接触端子を完成させる。そして、シール材を挿通させるベースコンタクトの寸法は、図１７に示した従来技術の接触端子２００よりも小さくできるため、接触端子同士の設置間隔（ピッチ）を狭くすることができる。
【００１８】
また、前記アウタコンタクトは、前記ベースコンタクトの一端部側が挿入され嵌合される外筒部を有し、前記外筒部の上面部には、前端部から後端部・近傍側まで開口部が形成された外側上壁が設けられ、該外側上壁には前記外部接触片が立設しており、前記外部接触片は、前記外側上壁から上方に向けて垂直に延びる垂直片と、前記垂直片の上端部から前記外筒部の前端部に向けて直角に屈曲して延設される平行片とを有する略Ｌ字状に形成されていることが望ましい。
【００１９】
本発明の接触端子は、ベースコンタクトとアウタコンタクトが別体になっているため、上述したように、シール材（ブロック状の一括シール材）の貫通孔にアウタコンタクトを挿通させなくても良い。そのため、シール材の貫通孔の間隔に制限されることなくアウタコンタクトの形状を設計でき、所望の接触力が得られる形状（Ｌ字状）のアウタコンタクトを構成することが可能になる。
【００２０】
また、前記ベースコンタクトは、その一端部側に底壁と上壁と両側壁とを有するボックス部が設けられ、前記上壁には、前記弾性接触片の接触部が突出できる大きさ寸法の孔部が形成され、前記弾性接触片は、前記底壁の後端部側・上面に取り付けられている基部と、前記基部の前端部から上方に立設された起立部と、前記起立部の上端部から底壁の前端部に向けて延設されている下方弾性部と、前記下方弾性部の前端部から底壁の後端部側に向けてＵ字状に折曲し且つ前記下方弾性部の後端部近傍まで延設されている上方弾性部とを有しており、前記上方弾性部は、その長さ方向の中間部が凸状に屈曲したへの字状に形成され、その頂部及び該頂部の近傍部分が前記接触部になっており、さらに、前記弾性接触片は、前記ベースコンタクトの一端部側に前記アウタコンタクトが嵌合されていないときには、前記ボックス部の内部に収容された状態になり、前記下方弾性部が上方向に押圧されると、前記上壁の孔部から前記接触部が突出するようになっていることが望ましい。
【００２１】
上記の構成のように、本発明の接触端子の構成部品であるベースコンタクトは、アウタコンタクトに取り付けられていない状態のとき、弾性接触片がボックス部の内部に収容されている。したがって、上述で例示した工程のように、シール材にベースコンタクトを挿通させている最中には、弾性接触片がボックス部の内部にあり、弾性接触片がシール材に当接しない。そのため、シール材にベースコンタクトを挿通させている作業により、弾性接触片が変形したり、弾性接触片の接触部にシール材の成分や埃等が付着したりすることがない。その結果、本発明によれば、弾性接触片の変形や汚れ等が原因の接触不良等が生じることを防止できる。
【００２２】
また、前記外筒部の両側面部に形成された外側側壁には、一方の外側側壁から他方の外側側壁に向けて延びる押上片が形成されており、前記押上片は、前記外筒部に前記ベースコンタクトの一端部側のボックス部が挿入されると、該ボックス部内部に収容されている前記弾性接触片の下方弾性部に当接して該弾性接触片を押し上げて、該ボックス部の上壁の孔部から前記弾性接触片の接触部を突出させるようになっていることが望ましい。
上記の構成によれば、シール材の貫通孔にベースコンタクトのボックス部を挿通させているときには、ボックス部の内部に弾性接触片が収容された状態になっていると共に、ベースコンタクトにアウタコンタクトが嵌合させることで、自動的に、ボックス部の上壁の孔部から弾性接触片の接触部を突出させることができる。
【００２３】
また、本発明は、基板の端部に設けられた基板端子に電気的に接続するための接触端子を構成するベースコンタクトであって、前記ベースコンタクトは、その一端部側に、別体のアウタコンタクトが外嵌されることで前記接触端子を構成すると共に、該アウタコンタクトと共に、前記基板に設けられた基板端子がある部位を該基板の表裏面から挟持するようになっており、一端部側に前記アウタコンタクトが外嵌される角筒状のボックス部が形成され、他端部側に電線の端部を把持し接続する電線接続部が形成され、前記ボックス部には、前記基板端子と接触するための接触部が形成されている弾性接触片が設けられ、前記ボックス部は、底壁と上壁と両側壁とを有し、該上壁には、前記弾性接触片の接触部が突出できる大きさ寸法の孔部が形成され、前記弾性接触片は、前記ボックス部に前記アウタコンタクトが外嵌されていない場合には前記ボックス部の内部に収容されている状態になり、さらに、前記弾性接触片は、前記ボックス部に前記アウタコンタクトが外嵌された場合には上方向に押圧されて、前記上壁の孔部から前記接触部が突出する状態になり、この状態で前記基板が挿入されると、前記接触部が前記アウタコンタクトと共に、前記基板に設けられた基板端子がある部位を該基板の表裏面から挟持すると共に、前記接触部が前記基板端子に付勢されて接触するようになっていることを特徴とする。
【００２４】
また、本発明は、基板の端部に設けられた基板端子に電気的に接続するための接触端子を構成するアウタコンタクトであって、前記アウタコンタクトは、別体のベースコンタクトが内嵌されることで前記接触端子を構成すると共に、該ベースコンタクトに形成されている弾性接触片の接触部と共に、前記基板に設けられた基板端子がある部位を該基板の表裏面から挟持するようになっており、前記ベースコンタクトの一端部が挿入される外筒部を有し、前記外筒部の上面には、前端部から後端部・近傍側まで開口部が形成された外側上壁が設けられ、該外側上壁には外部接触片が立設しおり、前記外部接触片は、前記外側上壁から上方に向けて垂直に延びる垂直片と、前記垂直片の上端部から前記外筒部の前端部に向けて直角に屈曲して延設される平行片とを有する略Ｌ字状に形成され、前記外筒部に前記ベースコンタクトの一端部が挿入されると、前記外部接触片が前記弾性接触片と相対向して配置される状態になり、この状態で前記基板が挿入されると、前記外部接触片の平行片と前記ベースコンタクトの弾性接触片の接触部とにより、前記挿入されてくる基板に設けられた基板端子がある部位が該基板の表裏面から挟持されるようになっていることを特徴とする。
【発明の効果】
【００２５】
本発明によれば、基板端子と電気的に接続するためのコネクタに用いられる接触端子であって、所望の接触力を得ることができると共に、狭いピッチ間隔のコネクタに用いることができる接触端子を提供することができる。また、本発明は、上記の接触端子を構成するベースコンタクト、及び、上記の接触端子を構成するアウタコンタクトを提供することができる。
【図面の簡単な説明】
【００２６】
【図１】本発明の実施形態のカードエッジコネクタを示した模式図である。
【図２】本発明の実施形態のカードエッジコネクタに用いられる接触端子の斜視図である。
【図３】本発明の実施形態の接触端子をベースコンタクトとアウタコンタクトに分離した状態を示した斜視図である。
【図４】本発明の実施形態の接触端子を構成するベースコンタクトのボックス部及び弾性接触片を説明するための模式図であり、（a）がボックス部の平面を示した模式図であり、（ｂ）がボックス部の側面を示した模式図であり、（ｃ）がボックス部の内部の構成を側面で示した模式図であり、（ｄ）がボックス部の底面を示した模式図であり、（e）がボックス部の正面を示した模式図である。
【図５】本発明の実施形態の接触端子を構成するベースコンタクトのボックス部の内部の構成を説明するための模式図である。
【図６】本発明の実施形態の接触端子を構成するアウタコンタクトを説明するための模式図であり、（a）アウタコンタクトの平面を示した模式図であり、（ｂ）がアウタコンタクトの内部の構成を側面で示した模式図であり、（ｃ）がアウタコンタクトの側面を示した模式図であり、（ｄ）がアウタコンタクトの正面を示した模式図である。
【図７】本発明の実施形態の接触端子を構成するアウタコンタクトの内部の構成を説明するための模式図である。
【図８】本発明の実施形態の接触端子の構成を説明するための模式図であり、（a）が接触端子の平面を示した模式図であり、（ｂ）が接触端子の内部の構成を側面で示した模式図であり、（ｃ）が接触端子の側面を示した模式図であり、（ｄ）が接触端子の正面を示した模式図である。
【図９】本発明の実施形態の接触端子を構成するアウタコンタクトにベースコンタクトを取り付けた状態の構成を説明するための模式図である。
【図１０】本発明の実施形態の接触端子を用いたカードエッジコネクタの製造工程を説明するための模式図であり、フロントハウジングにアウタコンタクトを装着し、フロントハウジングにベースハウジングを取り付けてコネクタハウジングを組み立てる工程を説明するための模式図である。
【図１１】本発明の実施形態の接触端子を用いたカードエッジコネクタの製造工程を説明するための模式図であり、コネクタハウジングに、電線を装着したベースコンタクトを取り付ける工程を説明するための模式図である。
【図１２】本発明の実施形態の接触端子を用いたカードエッジコネクタの製造工程を説明するための模式図であり、図１１に示した模式図の断面を示している。
【図１３】本発明の実施形態のカードエッジコネクタの断面を示した模式図である。
【図１４】本発明の実施形態のカードエッジコネクタに基板が挿入された状態を断面で示した模式図である。
【図１５】従来技術のカードエッジコネクタを説明するための模式図であり、（ａ）がカードエッジコネクタを斜め上方から見た模式図であり、（ｂ）がカードエッジコネクタの断面を示した模式図である。
【図１６】従来技術のカードエッジコネクタに基板を挿入した状態を説明するための模式図であり、（ａ）が基板を挿入した状態のカードエッジコネクタを斜め上方から見た模式図であり、（ｂ）が基板を挿入した状態のカードエッジコネクタの断面を示した模式図である。
【図１７】従来技術のカードエッジコネクタに用いられる接触端子の斜視図である。
【図１８】従来技術のカードエッジコネクタに用いられる接触端子の構成を説明するための模式図であり、（a）接触端子の平面を示した模式図であり、（ｂ）が接触端子の側面を示した模式図であり、（ｃ）が接触端子の内部の構成を側面で示した模式図である。
【発明を実施するための形態】
【００２７】
以下、本発明の実施形態のカードエッジコネクタ及びカードエッジコネクタに用いられる接触端子について、図面を用いて説明する。
先ず、本実施形態のカードエッジコネクタの概略構成について図１及び図２を参照しながら説明する。なお、図１は、本実施形態のカードエッジコネクタを示した模式図である。図２は、本実施形態のカードエッジコネクタに用いられる接触端子の斜視図である。
【００２８】
図１に示すように、本実施形態のカードエッジコネクタ（以下、単に「コネクタ」という）Ｗは、コネクタハウジング１００と、コネクタハウジング１００の内部に収容・設置されている「複数の接触端子Ｔ（図２参照）」とを備えている。コネクタハウジング１００は、横長のブロック状に形成されている。また、コネクタハウジング１００の内部には、横長方向（図中のＸ方向）に、複数の接触端子Ｔを並列して装着するための複数の端子収容部（上側端子収容部、下側端子収容部）が形成されている。なお、上側端子収容部及び下側端子収容部は互い違いになるように形成されている。
【００２９】
また、上記のコネクタハウジング１００は、基板１６０を保持している基板ハウジング１５１と着脱自在に嵌合する形状に形成され、その前端面に、基板１６０が挿入されるスリット部１２０aが設けられている。なお、基板１６０は、電子回路等がプリントされ且つその端部側に基板端子（図示せず）が設けられている。なお、基板ハウジング１５１は、基板端子が設けられた基板１６０の端部側を突出させた状態で保持している。
【００３０】
また、コネクタハウジング１００に、基板１６０を保持している基板ハウジング１５１を嵌合させると、コネクタハウジング１００の前端面のスリット部１２０aに、基板１６０の端部側が挿入される。そして、コネクタハウジング１００のスリット部１２０aに、基板１６０の端部側が挿入されると、接触端子Ｔに設けられた「弾性接触片１５及び外部接触片２５」により基板１６０の基板端子がある部位が表裏面から挟持されると共に、弾性接触片１５が基板端子と接触し、基板１６０と、接触端子Ｔとの電気的接続がなされるようになっている。
【００３１】
次に、本実施形態の接触端子Ｔの概略構成について、上述した図２と、図３を参照しながら説明する。なお、図３は、本実施形態の接触端子をベースコンタクトとアウタコンタクトに分離した状態を示した斜視図である。
【００３２】
図示するように、接触端子Ｔは、基板１６０に設けられた基板端子と接触する弾性接触片１５を有するベースコンタクト１と、弾性接触片１５と共に基板１６０を挟持する外部接触片２５を有するアウタコンタクト２とを備えている。ベースコンタクト１及びアウタコンタクト２は、金属で形成されている。また、ベースコンタクト１は、アウタコンタクト２と別体で形成されており、アウタコンタクト２にベースコンタクト１の前端側を挿入し嵌合することにより接触端子Ｔが構成されるようになっている。
【００３３】
次に、接触端子Ｔを構成するベースコンタクト１について、上述した図３と、図４〜５を参照しながら説明する。なお、図４は、本実施形態の接触端子を構成するベースコンタクトのボックス部及び弾性接触片を説明するための模式図である。また、図５は、本実施形態の接触端子を構成するベースコンタクトのボックス部の内部の構成を説明するための模式図である。
【００３４】
図示するように、ベースコンタクト１は、前端側（一端部側）に中空角筒状のボックス部１０が形成され、後端側（他端部側）に電線４０の端部を把持し接続する電線接続部３０が形成されている。また、ボックス部１０には、基板１６０の基板端子と接触し、且つアウタコンタクト２と共に基板１６０を挟持する弾性接触片１５が設けられている。なお、電線接続部３０は、周知技術と同じ構成であるため、その説明を省略する。
【００３５】
ボックス部１０は、図４、５に示すように、底壁１１と、底壁１１の両側から上方に向けて略直角に延びる左右両側壁１２と、底壁１１と相対向する上壁１３とを備えており、前後両端が貫通した中空角筒状になっている。なお、ボックス部１０の前端部には開口部１４ａ（図４（ｅ）参照）が形成されていると共に、その開口部１４ａの一部分（高さ方向の中心から上方側部分）を塞ぐ前壁１４ｂが形成されている。この開口部１４ａからボックス部１０の内部に、アウタコンタクト２に形成された押上片２６が挿入されるようになっている。
【００３６】
上記の底壁１１には、アウタコンタクト２に設けられた弾性係止片２７を挿入・係止させるための係止孔１１ａが形成されている。
また、左右両側壁１２には、その一端部（前端部）から他端部（後端部）に向けて、底壁１１と平行方向に延びる、長孔状の切欠孔部１２ａが形成されている。この切欠孔部１２ａに、アウタコンタクト２の押上片２６が挿通される。また、上壁１３には、弾性接触片１５の上方部分（上方弾性部１５ｄ）が突出できる大きさ寸法の孔部１３ａが形成されている。
【００３７】
また、弾性接触片１５は、底壁１１の上面部に設けられている。
具体的には、図４（ｃ）、図５に示すように、弾性接触片１５は、底壁１１の他端部（後端部）側に取り付けられている板状の基部１５ａと、基部１５ａの前端部から上方に延設された起立部１５ｂと、起立部１５ｂの上端部から底壁１１の一端部（前端部）に向けて延設されている「逆への字状」の下方弾性部１５ｃと、下方弾性部１５ｃの前端部から底壁の他端部（後端部）側に向けてＵ字状に折曲し且つ下方弾性部１５ｃの後端部近傍まで延設されている「への字状」の上方弾性部１５ｄとを有している。
【００３８】
上記の基部１５ａは、その下面が底壁１１の上面に溶接や接着などにより取り付けられている。また、下方弾性部１５ｃは、その長さ方向の略中間部が底壁１１に向けて凹状に屈曲した「逆への字状」に形成されている。また、上記の上方弾性部１５ｄは、その長さ方向の略中間部が上壁１３に向けて凸状に屈曲した「への字状」に形成されている。なお、弾性接触片１５の構成のうち、基部１５ａ以外の構成は、ボックス部１０と離間した状態で、ボックス部１０の底部１１に支持されている。
【００３９】
また、上方弾性部１５ｄには、凸状の頂部を中心にしてその前後方向に所定寸法・延びる厚肉部（接触部）１５ｄ１（図４（ａ）、図５参照）が形成されており、厚肉部（接触部）１５ｄ１が基板１６０に設けられた基板端子に接触するようになっている。
なお、弾性接触片１５は、ベースコンタクト１がアウタコンタクト２に取り付けられていないときには（図３、４に示す状態）、ボックス部１０の内部に収容された状態になっている。
【００４０】
次に、アウタコンタクト２の構成について図６、７を参照しながら説明する。
図６は、本実施形態の接触端子を構成するアウタコンタクトを説明するための模式図である。図７は、本実施形態の接触端子を構成するアウタコンタクトの内部の構成を説明するための模式図である。
【００４１】
図示するように、アウタコンタクト２は、ベースコンタクト１のボックス部１０が挿嵌（内嵌）される外筒部２０を有している。外筒部２０は、底壁（外側底壁）２１と、底壁２１の両側から上方に向けて略直角に延びる左右両側壁（外側側壁）２２と、開口部２３（前端部から長さ方向の中間部よりも所定寸法だけ後端部の領域に亘って形成された開口部２３）が形成された上壁２４（外側上壁２４）とを備えており、前後両端が貫通した中空角筒状になっている。
なお、外筒部２０の他端部（後端部）がベースコンタクト１のボックス部１０を挿入するための挿入口２８になっている。
【００４２】
また、上壁２０の幅方向の中心部には、略Ｌ字状に形成された外部接触片２５が立設している。また、外筒部２０の側壁２２には、一方の側壁２２から他方の側壁２２に向けて延びる押上片２６が形成されている。この押上片２６は、挿入口２８から挿入されてくるベースコンタクト１の弾性接触片１５に当接し、弾性接触片１５を押し上げる機能を果たす。また、外筒部２０の底壁２１の幅方向・中心部には、ベースコンタクト１のボックス部１０の底壁１１に設けられた係止孔１１ａに係止する弾性係止片２７が形成されている。
【００４３】
なお、本実施形態では、図６（ａ）に示すように、上壁２４は、一方の側壁２２の他端部（後端部）側の上端部から他方の側壁２２に向けて幅方向（底壁２１の幅方向）の中心部まで延びる第１上壁２４aと、他方の側壁２２の他端部（後端部）側の上端部から一方の側壁２２に向けて幅方向（底壁２１の幅方向）の中心部まで延びる第２上壁２４ｂとにより構成されている。また、第１上壁２４a及び第２上壁２４ｂは、底壁２１と平行に形成されていると共に、相互の端部同士が当接している。
このように、本実施形態では、上壁２４が、一対の構成部（第１上壁２４a、第２上壁２４ｂ）により構成されているが特にこれに限定されるものではない。例えば、上壁２４が、一方の側壁２２の後端部側の上端部から他方の側壁２２の他端部側の上端部まで延設された構成であっても良い。
【００４４】
また、外部接触片２５は、上壁２０の幅方向の中心部から上方に向けて垂直（上壁２４を基準に垂直）に延びる垂直片２５aと、垂直片２５aの上端部から外筒部２０の一端部（前端部）に向けて略直角に屈曲して延設される平行片２５ｂとを有する略Ｌ字状に形成されている。
また、平行片２５ｂは、長さ方向の略中間部に、下方（底壁２１方向）に突出する凸部２５ｂ１が設けられており、この凸部２５ｂ１が、基板１６０に接触する接触部になっている。
なお、本実施形態では、平行片２５ｂの下端部側に凸部２５ｂ１が設けられているが、これは一例に過ぎない。平行片２５ｂが、その下端部側に凸部２５ｂ１が設けられていない形状（ストレート形状）に形成されていても良い。この場合、平行片２５ｂのストレート形状の下端部が基板１６０に接触する接触部になる。
【００４５】
なお、本実施形態では、図６（ａ）、（ｄ）に示すように、外部接触片２５は、第１上壁２４aの端部（第２上壁２４ｂと当接している端部）から突出する略Ｌ字状の第１外部接触片２５１と、第２上壁２４ｂの端部（第２上壁２４ａと当接している端部）から突出する略Ｌ字状の第２外部接触片２５２とにより構成されている。また、第１外部接触片２５１は、第２外部接触片２５２と同じ形状に形成されていると共に、第２外部接触片２５２と対向するように配置されている。また、第１外部接触片２５１及び第２外部接触片２５２は相互の対向面同士が当接している。
このように、本実施形態では、外部接触片２５は、一対の構成部（第１外部接触片２５１、第２外部接触片２５２）により構成されているが特にこれに限定されるものではない。例えば、外部接触片２５が、上壁２４から立設する「１つの構成部品」で構成されていても良い。
【００４６】
また、押上片２６は、図６（ｄ）に示すように、一方の側壁２２の高さ方向の中心部近傍から他方の側壁２２に向けて幅方向（底壁の幅方向）の中心部近傍まで延びる第１押上片２６ａと、一方の側壁２２の高さ方向の中心部近傍から他方の側壁２２に向けて幅方向（底壁の幅方向）の中心部近傍まで延びる第２押上片２６ｂとにより構成されている。第１、２押上片２６ａ、ｂは、外部接触片２５の凸部２５ｂ１と相対向する位置に形成されている。なお、第１押上片２６ａ及び第２押上片２６ｂは、互いの対向部同士が離間している。
【００４７】
また、押上片２６（２６ａ、２６ｂ）は、図６（ｂ）に示すように、その他端部（後端部）に、底壁２１に向けて円弧状に屈曲した円弧部２６ｃが形成されている。この円弧部２６ｃは、ベースコンタクト１のボックス部１０が挿入されてきたときに、押上片２６ｃに衝突するベースコンタクト１の弾性接触片１５をスムーズに押し上げる機能を担っている。
なお、図示する押上片２６は、側壁２２を切り起こして形成しているが、これは一例に過ぎない。
【００４８】
また、弾性係止片２７は、図７に示すように、底壁２１から切り起こされて形成されており、底壁２１の他端部（後端部）側の領域から底壁２１の一端部（前端部）に向けて斜め上方に延びる第１斜面部２７ａと、第１斜面部２７ａの端部から下方に屈曲して底壁２１の下面まで延びる鉛直部２７ｂと、鉛直部２７ｂの端部から斜め下方に屈曲して、底壁２１から突出する第２斜面部２７ｃとを備えている。
【００４９】
次に、アウタコンタクト２にベースコンタクト１を挿入して形成された接触端子Ｔの構成について、上述した図２及び３と、図８、９を参照しながら説明する。
なお、図８は、本施形態の接触端子の構成を説明するための模式図である。図９は、本実施形態の接触端子を構成するアウタコンタクトにベースコンタクトを取り付けた状態の構成を説明するための模式図である。
【００５０】
図８、９に示す接触端子Ｔは、アウタコンタクト２の後端部の挿入口２８にベースコンタクト１のボックス部１０を挿入し、アウタコンタクト２の前端部側に押し込み、アウタコンタクト２とベースコンタクト１を嵌合させることにより形成されるようになっている。
【００５１】
具体的には、アウタコンタクト２の挿入口２８に、ベースコンタクト１のボックス部１０を挿入して押し込むと、ボックス部１０の前端部の開口部１４ａから内部に、アウタコンタクト２の押上片２６（２６ａ、２６ｂ）が挿入される。これにより、ベースコンタクト１の弾性接触片１５の前端部（Ｕ字状部分）が押上片２６（２６ａ、２６ｂ）の円弧部２６ｃに衝突する。このとき、ボックス部１０の左右両側壁１２の切欠孔部１２ａに押上片２６（押上片２６ａ、２６ｂ）基端部が挿入されている。
さらに、アウタコンタクト２の前端部側にベースコンタクト１のボックス部１０を押し込んでいくと、弾性接触片１５の下方弾性部１５ｃが、押上片２６の上面を摺動しながら、押上片２６の上面に載置された状態（図８（ｂ）、図９参照）になる。これにより、弾性接触片１５が押上片２６により上方向の荷重を受けて押し上げられて、弾性接触片１５の上方弾性部１５ｄ（接触部１５ｄ１）が、ボックス部１０の上壁１３の孔部１３ａから突出する。
【００５２】
また、アウタコンタクト２の挿入口２８に、ベースコンタクト１のボックス部１０を挿入して押し込むと、上記の弾性接触片１５の動作に加えて、ベースコンタクト１のボックス部１０の底壁１１に形成された係止孔１１ａに、アウタコンタクト２の弾性係止片２７が挿入されて係止される。このようにして、アウタコンタクト２にベースコンタクト１が取り付けられるようになっている。
【００５３】
次に、本実施形態の接触端子Ｔを用いたコネクタＷについて、図１０〜図１４を参照しながら説明する
なお、図１０〜１２は、本実施形態の接触端子を用いたコネクタの製造工程を説明するための模式図である。また、図１３は、本実施形態のコネクタの断面を示した模式図である。図１４は、本実施形態のコネクタに基板が挿入された状態を断面で示した模式図である。
【００５４】
本実施形態のコネクタＷを構成するコネクタハウジング１００は、図１０に示すように、接触端子Ｔの後端側（ベースコンタクト１のボックス部１０の後端部、ベースコンタクト１の電線接続部３０）及び電線４０が収容・設置されるベースハウジング１１０と、接触端子Ｔの前端部側（アウタコンタクト２、ボックス部２のうちアウタコンタクト２に嵌合されている部分）が収容・設置されるフロントハウジング１２０とを備えている。
【００５５】
ベースハウジング１１０及びフロントハウジング１２０は、合成樹脂等で形成されている。また、ベースハウジング１１０は、フロントハウジング１２０と別体で形成されている。フロントハウジング１２０は、ベースハウジング１１０の前端部側の内部に形成された領域（空隙）に収容・設置されるようになっている（図１１参照）。
【００５６】
そして、本実施形態のカードエッジコネクタＷは、例えば、以下の工程で製造することができる。
先ず、ベースハウジング１１０に取り付けられる前の状態のフロントハウジング１２０に対して、アウタコンタクト２を挿嵌して取り付ける工程を行う。具体的には、フロントハウジング１２０に形成されている複数の端子収容部に、それぞれ、アウタコンタクト２を挿嵌して取り付ける。
【００５７】
次に、ベースハウジング１１０の前端部側の内部に形成された領域（空隙）に、アウタコンタクト２を取り付けたフロントハウジング１２０を挿嵌して取り付けて、図１１に示すコネクタハウジング１００を組み立てる。
なお、ベースハウジング１１０の内部・後端部側に形成された領域（空隙）には、複数の貫通孔１３０aが形成されたブロック状のシール材（ゴム等で形成されている一括シール材）１３０（図１２参照）が装着されている。なお、シール材１３０の貫通孔１３０aは、ベースコンタクト１及び電線４０を挿通可能な大きさ寸法に形成されていると共に、コネクタハウジング１００に形成されている端子収容部に連通している。
【００５８】
次に、図１２に示すように、アウタコンタクト２を取り付けて組み立てたコネクタハウジング１００に形成されている各端子収容部に、それぞれ、電線４０が接続されているベースコンタクト１を取り付ける工程を行う。
【００５９】
この工程では、先ず、ベースコンタクト１の電線接続部３０に電線４０を接続する。次に、コネクタハウジング１００の後端部側に装着されているシール材１３０の貫通孔１３０aに、電線４０が接続されたベースコンタクト１のボックス部１０を挿通させる（ボックス部１０を先頭にして挿通させる）。なお、弾性接触片１５はボックス部１０の内部に収容された状態になっているため、シール材１３０の貫通孔１３０aにボックス部１０をスムーズに挿通させることができる。このとき、弾性接触片１５がシール材１３０に当接しないため、弾性接触片１５が変形したり、接触部１５ｄ１にシール材１３０の成分や埃等が付着したりすることがない。
また、シール材１３０の貫通孔１３０aにボックス１０を挿通させた後、さらに、シール材１３０の貫通孔１３０aと連通している端子収容部にベースコンタクト１を押し込んでいく。そして、コネクタハウジング１００の端子収容部にベースコンタクト１を押し込んでいくと、コネクタハウジング１００の前端部側に取り付けられたアウタコンタクト２の挿入口２８に、ベースコンタクト１のボックス部１０が挿入されていく。また、アウタコンタクト２の挿入口２８に、ベースコンタクト１のボックス部１０が挿入されると、ベースコンタクト１の弾性接触片１５がアウタコンタクト２の押上片２６により上方向の荷重を受けて押し上げられて、弾性接触片１５の上方弾性部１５ｄが、ボックス部１０の上壁１３の孔部１３ａから突出する。このとき、ベースコンタクト１のボックス部１０の底壁１１に形成された係止孔１１ａに、アウタコンタクト２の弾性係止片２７に挿入されて係止され、図１３に示す状態になる。なお、シール材１３０には、ベースコンタクト１に接続されている電線４０が挿通された状態になっている。この工程により、コネクタハウジング１００に接続端子Ｔが取り付けられた状態になる。
【００６０】
また、コネクタＷに基板１６０を保持している基板ハウジング１５１（図１４には示さず）を嵌合させると、図１４に示すように、コネクタハウジング１００の前端面のスリット部１２０aに、基板１６０の端部側が挿入される。
【００６１】
そして、コネクタハウジング１００のスリット部１２０aに、基板１６０の端部側が挿入されると、接触端子Ｔの弾性接触片１５の上方弾性部１５ｄの接触部１５ｄ１と、接触端子Ｔの外部接触片２５の凸部２５ｂ１との間に基板１６０の端部側が挿入され、弾性接触片１５の接触部１５ｄ１と、外部接触片２５の凸部２５ｂ１とにより、基板１６０の基板端子がある部位が基板１６０の表裏面から挟持される。このとき、弾性接触片１５の接触部１５ｄ１が基板端子に付勢されて接触して、接触端子Ｔが基板１６０と電気的に接続される。
【００６２】
このように、本実施形態では、接触端子Ｔが直接、基板１６０に設けられた基板端子がある部位を基板１６０の表裏面から挟持する構成になっているため（基板端子との接触部分を挟持する構成になっているため）、直接的に基板を挟持しない従来技術のもの（特許文献１、２に記載の接触端子）や、基板端子との接触部分を挟持する構成になってない従来技術の接触端子２００（図１７参照）と比べて、大きい接触力で基板端子に接触することができる。また、本実施形態では、接触端子Ｔが直接・基板１６０（基板の基板端子がある部位）を挟持するため、複数の接触端子Ｔを装着するコネクタ（カードエッジコネクタ）Ｗに用いた場合に、従来技術のものと比べて、各接触端子の接触力にバラツキが生じる可能性が軽減される。
【００６３】
また、本実施形態の接触端子Ｔは、ベースコンタクト１とは別体に、基板１６０を挟持するためのアウタコンタクト２を設け、アウタコンタクト２にベースコンタクト１を挿入することで、接触端子Ｔが形成される構成になっている。
【００６４】
そして、ベースコンタクト１とアウタコンタクト２が別体になっているため、上述した作業工程のように、コネクタハウジング１００の前方側にアウタコンタクト２を取り付けておくと共に、コネクタハウジング１００の後方側に「複数の貫通孔１３０ａが形成されたシール材（一括シール材）１３０」を取り付けておき、その後、コネクタハウジング１００の後方側から、電線４０を取り付けたベースコンタクト１を挿通すると共に、コネクタハウジング１００の前方側に取り付けられたアウタコンタクト２にベースコンタクト１のボックス部１０を挿入して押し込み接触端子Ｔを完成させることができる。また、アウタコンタクト２を別体にすることで、シール材１３０に挿通させるベースコンタクト１の大きさ寸法が、図１７に示した従来技術の接触端子２００よりも小さくでき、接触端子Ｔ同士の設置間隔（ピッチ）を狭くすることができる。
【００６５】
さらに、本実施形態のベースコンタクト１は、アウタコンタクト２に取り付けられていない状態のとき、弾性接触片１５がボックス部１０の内部に収容されている。したがって、シール材１３０の貫通孔１３０ａにベースコンタクト１のボックス部１０を挿通させている最中には、弾性接触片１５がボックス部１０の内部にあり、弾性接触片１５がシール材に当接しない。そのめ、弾性接触片１５が変形したり、弾性接触片１５の接触部１５ｄ１にシール材の成分や埃等が付着したりすることがない。その結果、本実施形態によれば、弾性接触片１５の変形や接触部１５ｄ１の汚れ等が原因の接触不良等が生じることを防止できる。
【００６６】
また、本実施形態の構成によれば、上述した作業工程を採用することで、シール材１３０の貫通孔１３０ａにアウタコンタクト２を挿通させなくても良い。そのため、シール材１３０の貫通孔１３０ａの間隔に制限されることなくアウタコンタクト２の形状を設計でき、所望の接触力が得られる形状（Ｌ字状等）のアウタコンタクト２を構成することが可能になる。
【００６７】
以上説明したように、本実施形態によれば、基板端子と電気的に接続するためのコネクタに用いられる接触端子Ｔであって、所望の接触力を得ることができると共に、狭いピッチ間隔のコネクタに用いることができる接触端子Ｔを提供することができる。また、本実施形態によれば、上記の接触端子を構成するベースコンタクト、及び、上記の接触端子を構成するアウタコンタクトを提供することができる。
【００６８】
なお、本発明は、上述した実施形態に限定されるものではなく、その要旨の範囲内において種々の変更が可能である。
【００６９】
Ｗ…カードエッジコネクタ（コネクタ）
１００…コネクタハウジング
１１０…ベースハウジング
１２０…フロントハウジング
１２０ａ…スリット部
１３０…シール材
１３０ａ…貫通孔
１５１…基板ハウジング
１６０…基板
Ｔ…接触端子
１…ベースコンタクト
１０…ボックス部
１１…底壁
１１ａ…係止孔
１２…側壁
１２ａ…切欠孔部
１３…上壁
１３ａ…孔部
１４ａ…開口部
１４ｂ…前壁
１５…弾性接触片
１５ａ…基部
１５ｂ…起立部
１５ｃ…下方弾性部
１５ｄ…上方弾性部
１５ｄ１…厚肉部（接触部）
３０…電線接続部
４０…電線
２…アウタコンタクト
２０…外筒部
２１…底壁（外側底壁）
２２…側壁（外側側壁）
２３…開口部
２４…上壁（外側上壁）
２４ａ…第１上壁
２４ｂ…第２上壁
２５…外部接触片
２５ａ…垂直片
２５ｂ…平行片
２５ｂ１…凸部
２５１…第１外部接触片
２５２…第２外部接触片
２６…押上片
２６ａ…第１押上片
２６ｂ…第２押上片
２６ｃ…円弧部
２７…弾性係止片
２７ａ…第１斜面部
２７ｂ…鉛直部
２７ｃ…第２斜面部
２８…挿入口
【図１】
2018152271.tif 000003
【図２】
2018152271.tif 000004
【図３】
2018152271.tif 000005
【図４】
2018152271.tif 000006
【図５】
2018152271.tif 000007
【図６】
2018152271.tif 000008
【図７】
2018152271.tif 000009
【図８】
2018152271.tif 000010
【図９】
2018152271.tif 000011
【図１０】
2018152271.tif 000012
【図１１】
2018152271.tif 000013
【図１２】
2018152271.tif 000014
【図１３】
2018152271.tif 000015
【図１４】
2018152271.tif 000016
【図１５】
2018152271.tif 000017
【図１６】
2018152271.tif 000018
【図１７】
2018152271.tif 000019
【図１８】
2018152271.tif 000020